(57)【要約】【課題】映像音声出力装置の備える機能を最大限に発揮できる映像音声出力装置及び映像音声出力装置の制御方法を提供すること。【解決手段】本発明にかかるシンク機器部１０３は、映像・音声フォーマット解析部１０８と、ＥＤＩＤ生成部１０７と、を備える。映像・音声フォーマット解析部１０８は、複数のパラメータを含むフォーマットの映像音声信号を、ソース機器部１０１から受信する。ＥＤＩＤ生成部１０７は、受信した複数のパラメータのレベルの中に、サポート可能なレベルの上限未満のレベルが含まれる場合、当該上限未満のレベルのパラメータにおけるサポート可能なレベルの上限を引き下げると共に、他のパラメータにおけるサポート可能なレベルの上限を引き上げる。【選択図】図１
2013098903.tif 000002
【特許請求の範囲】
【請求項１】
映像及び音声の少なくとも一方を出力可能な映像音声出力装置であって、
複数のパラメータを含むフォーマットの映像音声信号を、外部機器から受信する受信手段と、
受信した前記複数のパラメータのレベルに基づいて、前記映像音声出力装置がサポート可能なレベルを設定するサポートレベル設定手段と、を備え、
前記サポートレベル設定手段は、受信した前記複数のパラメータのレベルの中に、サポート可能なレベルの上限未満のレベルが含まれる場合、当該上限未満のレベルのパラメータにおけるサポート可能なレベルの上限を引き下げると共に、他のパラメータにおけるサポート可能なレベルの上限を引き上げる映像音声出力装置。
【請求項２】
前記サポートレベル設定手段は、受信した前記複数のパラメータのレベルの中に、サポート可能なレベルの上限未満のレベルが含まれる場合、当該上限未満のレベルに基づいて、前記他のパラメータにおけるサポート可能なレベルの上限が引き上げ可能か否かを判定する請求項１に記載の映像音声出力装置。
【請求項３】
前記サポートレベル設定手段は、設定したサポート可能なレベルに基づいて、ＥＤＩＤを生成する請求項１または２に記載の映像音声信号出力装置。
【請求項４】
前記複数のパラメータには、解像度、色深度、音声Ｆｓ値、及び音声Ｃｈ数のうち、少なくとも２つ以上が含まれる請求項１〜３のいずれか一項に記載の音声信号出力装置。
【請求項５】
映像及び音声の少なくとも一方を出力可能な映像音声出力装置の制御方法であって、
複数のパラメータを含むフォーマットの映像音声信号を、外部機器から受信し、
受信した前記複数のパラメータのレベルの中に、前記映像音声出力装置がサポート可能なレベルの上限未満のレベルが含まれる場合、当該上限未満のレベルのパラメータにおけるサポート可能なレベルの上限を引き下げると共に、他のパラメータにおけるサポート可能なレベルの上限を引き上げる映像音声出力装置の制御方法。
【発明の詳細な説明】
【技術分野】
【０００１】
本発明は映像音声出力装置及び映像音声出力方法に関し、特にＥＤＩＤを切り替え可能な映像音声出力装置及び映像音声出力装置の制御方法に関する。
【背景技術】
【０００２】
テレビ／モニタ（シンク機器と称す）とＢＤ（Blu-ray Disc：登録商標）／ＤＶＤ（Digital Versatile Disc）プレーヤー等（ソース機器と称す）の接続に高速かつ高品質なＨＤＭＩ（High Definition Multimedia Interface：登録商標）を使用するケースが増えている。
【０００３】
ソース機器は、シンク機器のサポートするフォーマットを知るために、シンク機器のＥＤＩＤ（Extended Display Identification Data）をリードして映像・音声を送出する映像・音声フォーマットを決定する。ソース機器は、シンク機器に対して決定した映像・音声フォーマットのデータ信号を送出する。
【０００４】
ところが、シンク機器がソース機器に対して適切なＥＤＩＤを提示できないことがある。そのため、シンク機器が受信する映像信号の映像・音声フォーマットは、シンク機器にとって最適なフォーマットの組み合わせにならない場合がある。
【０００５】
具体的には、ＨＤＭＩを用いた画像・音声通信の場合において、ソース機器によっては高機能な映像・音声フォーマットが必ずしも求められないケースが存在する。例えば、映像フォーマットを高解像度にしない代わりに、音声フォーマットを高音質にしてＨＤＭＩを音声専用ラインとして用いることや、ゲームなどの応答速度が求められるコンテンツに対して表示・出音のための処理が最小となる映像・音声フォーマットを選ぶ、といったことがある。そのため、最適な映像・音声フォーマットとなるようにソース機器の能力やコンテンツに応じて適切なＥＤＩＤをソース機器に提示することが要求されている。
【０００６】
特許文献１には、画像表示装置が開示されている。画像表示装置は、複数の表示属性情報と各表示属性情報に対応するＥＤＩＤとが予め格納された参照テーブルを有する。画像表示装置は、画像情報出力装置から出力される表示属性情報を取得し、取得した表示属性情報に対応するＥＤＩＤを、参照テーブルから選択する。そして、画像表示装置は、現在設定されているＥＤＩＤを選択したＥＤＩＤに更新する。これにより、画像表示装置のＥＤＩＤを画像情報出力装置に適したＥＤＩＤに設定することができる。
【０００７】
特許文献２には、音声出力装置が開示されている。音声出力装置は、音声出力装置の音声出力能力と、当該音声出力装置に接続された音響装置の音声出力能力と、を比較し、音声出力能力が高い方をＥＤＩＤ−ＲＯＭ（Read Only Memory）に書き込む。これにより、音声出力装置に接続された音声データ出力装置は、より高い音声出力性能情報に対応したフォーマットの音声データを音声出力装置に送出することができる。
【先行技術文献】
【特許文献】
【０００８】
【特許文献１】特開２００６−１１９３９９号公報
【特許文献２】特開２０１０−１４１４１０号公報
【発明の概要】
【発明が解決しようとする課題】
【０００９】
しかしながら、特許文献１に記載の画像表示装置においては、表示属性情報及びそれに対応するＥＤＩＤが予め参照テーブルに格納されている。そのため、機器の仕様等の影響により、シンク機器（画像表示装置）がソース機器（画像情報出力装置）から表示属性情報を取得できない場合、ＥＤＩＤの切り替えができず、ソース機器が出力する映像・音声フォーマットは一意に固定されてしまう。その結果、シンク機器の備える性能を最大限に発揮できないという問題がある。
【００１０】
なお、特許文献２には、一つのパラメータ（出力可能な音声チャンネル）を比較して、ＥＤＩＤを設定することは開示されているものの、比較すべきパラメータが複数ある場合のＥＤＩＤの最適化については何ら開示されていない。
【課題を解決するための手段】
【００１１】
本発明にかかる映像音声出力装置は、映像及び音声の少なくとも一方を出力可能な映像音声出力装置であって、複数のパラメータを含むフォーマットの映像音声信号を、外部機器から受信する受信手段と、受信した前記複数のパラメータのレベルに基づいて、前記映像音声出力装置がサポート可能なレベルを設定するサポートレベル設定手段と、を備え、前記サポートレベル設定手段は、受信した前記複数のパラメータのレベルの中に、サポート可能なレベルの上限未満のレベルが含まれる場合、当該上限未満のレベルのパラメータにおけるサポート可能なレベルの上限を引き下げると共に、他のパラメータにおけるサポート可能なレベルの上限を引き上げるものである。このため、外部機器から送信される映像音声信号のパラメータに合わせて、映像音声出力装置がサポート可能なパラメータレベルを調整できる。その結果、映像音声出力装置の備える性能を最大限に発揮できる。
【００１２】
本発明にかかる映像音声出力装置の制御方法は、映像及び音声の少なくとも一方を出力可能な映像音声出力装置の制御方法であって、複数のパラメータを含むフォーマットの映像音声信号を、外部機器から受信し、受信した前記複数のパラメータのレベルの中に、前記映像音声出力装置がサポート可能なレベルの上限未満のレベルが含まれる場合、当該上限未満のレベルのパラメータにおけるサポート可能なレベルの上限を引き下げると共に、他のパラメータにおけるサポート可能なレベルの上限を引き上げるものである。このため、外部機器から送信される映像音声信号のパラメータに合わせて、映像音声出力装置がサポート可能なパラメータレベルを調整できる。その結果、映像音声出力装置の備える性能を最大限に発揮できる。
【発明の効果】
【００１３】
本発明により、映像音声出力装置の備える性能を最大限に発揮できる映像音声出力装置及び映像音声出力装置の制御方法を提供することができる。
【図面の簡単な説明】
【００１４】
【図１】実施の形態にかかる映像・音声装置のブロック図である。
【図２】実施の形態にかかる映像・音声装置の制御動作を示すフローチャートである。
【図３】実施の形態にかかる映像・音声装置のＥＤＩＤ書き換え動作を示すフローチャートである。
【図４】実施の形態にかかるＥＤＩＤ生成処理を説明するための図である。
【発明を実施するための形態】
【００１５】
以下、図面を参照して本発明の実施の形態について説明する。図１は、本実施の形態にかかる映像・音声装置１１０のブロック図である。映像・音声装置１１０は、映像・音声信号を送出するデバイスであるソース機器部１０１と、映像・音声信号を伝送するデジタルインターフェースであるＨＤＭＩケーブル１０２と、映像・音声信号を受信するデバイスであるシンク機器部１０３と、で構成される。
【００１６】
ソース機器部１０１（外部装置）は、ＨＤＭＩケーブル１０２を介してシンク機器部１０３のＥＤＩＤを読み出す。ＥＤＩＤの読み出しプロトコルは、Ｉ２Ｃを使用する（ＨＤＭＩの規格）。ソース機器部１０１は、ＨＤＭＩケーブル１０２を介して映像・音声信号をシンク機器部１０３へ送出する。
【００１７】
シンク機器部１０３（映像音声出力装置）は、ＥＤＩＤメモリの内容を書き換えるＥＤＩＤ書き換え部１０４と、ＨＤＭＩリンク部１０６を介してソース機器部１０１が読み出すＥＤＩＤメモリ部１０５と、ＨＤＭＩケーブルのインターフェースであるＨＤＭＩリンク部１０６と、ＥＤＩＤを生成するＥＤＩＤ生成部１０７と、ソース機器部１０１が送出した映像音声フォーマットを解析する映像音声フォーマット解析部１０８と、映像及び音声を出力する表示パネル＆スピーカ部１０９と、を備える。
【００１８】
シンク機器部１０３は、ＨＤＭＩケーブル１０２を介してソース機器部１０１から送出された映像・音声信号を受信する。ＨＤＭＩリンク部１０６は、ソース機器部１０１より映像・音声信号を受信し、映像音声フォーマット解析部１０８に映像・音声信号を出力する。
【００１９】
映像音声フォーマット解析部１０８は、ＨＤＭＩリンク部１０６より入力された、映像・音声信号を映像・音声信号の実データとパラメータ化したフォーマット解析結果の２つに分離する。
【００２０】
映像・音声信号の実データは、表示パネル＆スピーカ部１０９へ出力され、ユーザが視聴する。一方のパラメータ化したフォーマット解析結果は、映像・音声フォーマット解析部１０８からＥＤＩＤ生成部１０７へ通知される。
【００２１】
ＥＤＩＤ生成部１０７（サポートレベル設定手段）は、パラメータ化したフォーマット解析結果に基づいて、ＥＤＩＤを生成する。ＥＤＩＤ生成部１０７が生成したＥＤＩＤは、ＥＤＩＤ生成部１０７からＥＤＩＤ書き換え部１０４に対して送出される。なお、ＥＤＩＤ生成処理の詳細については後述する。
【００２２】
ＥＤＩＤ書き換え部１０４は、受信したＥＤＩＤをＥＤＩＤメモリ部１０５へ書き込む。ＥＤＩＤメモリ部１０５は、例えば、フラッシュメモリ等の書き換え可能メモリである。ＨＤＭＩリンク部１０６は、ＥＤＩＤメモリ部の書き換え完了を検知して、ソース機器部１０１に対してＥＤＩＤ再読出しを促す処理を行う。
【００２３】
続いて、図２及び図３のフローチャートを参照して、本実施の形態にかかる映像・音声装置１１０の動作例について説明する。図２は、映像・音声装置１１０の制御フローチャート、図３は、映像・音声装置１１０のＥＤＩＤ書き換え処理のフローチャートである。
【００２４】
まず、図２を用いて、解像度、色深度、音声Ｆｓ値、音声Ｃｈ数を最適な値へ導く手順を説明する。ソース機器部１０１側の動作について説明する。まず、ＨＤＭＩケーブル１０２が、シンク機器部１０３及びソース機器部１０１の両方に接続される（ステップＳ１）。つまり、シンク機器部１０３とソース機器部１０１とは、ＨＤＭＩケーブル１０２を介して接続される。
【００２５】
シンク機器部１０３は、ＨＤＭＩケーブル１０２の信号線であるＨＰＤラインをアクティブにする。これにより、ＨＤＭＩ接続が確立する（ステップＳ１１１）。ソース機器部１０１は、ＨＤＭＩケーブル１０２及びＨＤＭＩリンク部１０６のＩ２Ｃ通信を使用してＥＤＩＤメモリ部１０５に保持されているＥＤＩＤをリードする（ステップＳ２）。
【００２６】
ソース機器部１０１は、リードしたＥＤＩＤの値を元に映像・音声フォーマットを決定し、シンク機器部１０３に対して映像・音声を出力する（ステップＳ３）。映像・音声フォーマット解析部１０８は、ソース機器部１０１が送信した映像・音声に対して映像・音声信号からパラメータ化を行う（ステップＳ１１２）。パラメータ化するものとして、例えば、解像度・色深度・音声コーデック・音声Ｆｓ値・音声Ｃｈ数等がある。映像・音声フォーマット解析部１０８は、パラメータ化したデータをＥＤＩＤ生成部１０７へ通知する（ステップＳ１１３）。
【００２７】
ＥＤＩＤ生成部１０７は、前記パラメータ化したデータのうち色深度に着目する。現在受信している解像度を上限としたときに、シンク機器部１０３が出力可能な色深度の範囲で、現在の色深度を引上げ可能か判断する（ステップＳ１１４）。可能な色深度の範囲で最大スペックである場合、つまり、色深度が引き上げ不可能な場合（ステップＳ１１４：ＮＯ）、ステップＳ１１７に進む。
【００２８】
一方、最大スペックでない場合、つまり、色深度が引き上げ可能な場合（ステップＳ１１４：ＹＥＳ）、ＥＤＩＤ生成部１０７は、現在の解像度をＥＤＩＤ上で固定し、色深度の能力（レベル）を最大限高めたＥＤＩＤを作成する（ステップＳ１１５）。そして、ＥＤＩＤ書き換え部１０４及びＨＤＭＩリンク部１０６は、ＥＤＩＤ変更・再接続処理を行う（ステップＳ１１６）。ＥＤＩＤ変更・再接続処理の詳細については、図３を参照して後述する。
【００２９】
次に、ＥＤＩＤ生成部１０７は、パラメータ化したデータのうち、音声Ｆｓ値に着目する。現在受信している解像度・色深度を上限としたときに、シンク機器部１０３が出力可能な音声Ｆｓ値の範囲で、現在の音声Ｆｓ値を引上げ可能か判断する（ステップＳ１１７）。出力可能な音声Ｆｓ値の範囲で最大スペックである場合、つまり、音声Ｆｓ値が引き上げ不可能な場合（ステップＳ１１７：ＮＯ）、ステップＳ１２０に進む。
【００３０】
一方、最大スペックでない場合、つまり、音声Ｆｓ値が引き上げ可能な場合（ステップＳ１１７：Ｙｅｓ）、ＥＤＩＤ生成部１０７は、現在の解像度・色深度値をＥＤＩＤ上で固定し、音声Ｃｈ数の能力を最大限高めたＥＤＩＤを作成する（ステップＳ１１８）。そして、ＥＤＩＤ書き換え部１０４及びＨＤＭＩリンク部１０６は、ＥＤＩＤ変更・再接続処理を行う（ステップＳ１１９及び図３）。
【００３１】
次に、ＥＤＩＤ生成部１０７は、パラメータ化したデータのうち、音声Ｃｈ数に着目する。現在受信している解像度・色深度・音声Ｆｓ値を上限としたときに、シンク機器部１０３が出力可能な音声Ｃｈ数の範囲で、現在の音声Ｃｈ数を引上げ可能か判断する（ステップＳ１２０）。出力可能な音声Ｃｈ数の範囲で最大スペックである場合、つまり、音声Ｃｈ数を引き上げ不可能な場合（ステップＳ１２０：ＮＯ）、処理を終了する。
【００３２】
一方、最大スペックでない場合、つまり、音声Ｃｈ数を引き上げ可能な場合（ステップＳ１２０：ＹＥＳ）、ＥＤＩＤ生成部１０７は、現在の解像度・色深度・音声Ｆｓ値をＥＤＩＤ上で固定し、音声Ｃｈ数の能力を最大限高めたＥＤＩＤを作成する（ステップＳ１２１）。そして、ＥＤＩＤ書き換え部１０４及びＨＤＭＩリンク部１０６は、ＥＤＩＤ変更・再接続処理を行う（ステップＳ１２２及び図３）。
【００３３】
続いて、映像・音声装置のＥＤＩＤ変更・再接続処理について、図３のフローチャートを参照して説明する。ＥＤＩＤ生成部１０７は、生成したＥＤＩＤをＥＤＩＤ書き換え部１０４へ送付する。ＥＤＩＤ書き換え部１０４は、現在ＥＤＩＤメモリ部１０５に書かれているＥＤＩＤと、ＥＤＩＤ生成部１０７から受けた新しい前記ＥＤＩＤと、が一致しているかを判断する（ステップＳ１３０）。一致している場合（ステップＳ１３０：ＹＥＳ）、ＥＤＩＤの変更は必要ないものとして処理を終了する。
【００３４】
一方、一致していない場合（ステップＳ１３０：ＮＯ）、ＥＤＩＤ書き換え部１０４は、前記生成されたＥＤＩＤを用いてＥＤＩＤメモリ部１０５の内容を書き換える（ステップＳ１３１）。
【００３５】
ＨＤＭＩリンク部１０６は、ＥＤＩＤを書き換えた後、ＨＤＭＩケーブル１０２の信号線であるＨＰＤラインのアクティブ状態を非アクティブからアクティブに変化させ、トグルする（ステップＳ１３２）。この動作は、ＨＤＭＩ接続が瞬断されることを意味する。
【００３６】
ソース機器部１０１は、ＨＤＭＩの接続が瞬断されることにより、再度ＥＤＩＤのリードを行う（ステップＳ４）。ソース機器部１０１は、再度ＥＤＩＤのリードにより新たなフォーマットで映像・音声信号をシンク機器部１０３に出力する（ステップＳ５）。
【００３７】
映像・音声フォーマット解析部１０８は、新たなフォーマットで受信した映像・音声信号をパラメータ化する（ステップＳ１３３）。そして、映像・音声フォーマット解析部１０８は、パラメータ化したデータをＥＤＩＤ生成部１０７へ通知する（ステップＳ１３４）。
【００３８】
ここで、ＥＤＩＤ生成部１０７のＥＤＩＤ生成処理について、図４を参照して詳細に説明する。図４は、シンク機器部１０３がサポートする映像・音声フォーマットの一例を示した図である。なお、以下の説明では、シンク機器部１０３が次に示す映像・音声フォーマットをサポートする。
【００３９】
映像解像度が４８０ｐのとき、シンク機器部１０３は、色深度８〜１２ｂｉｔ、音声Ｆｓ値４８〜９６ｋＨｚ、音声Ｃｈ数２ｃｈをサポート可能である。映像解像度が７２０ｐのとき、シンク機器部１０３は、色深度８〜１０ｂｉｔ、音声Ｆｓ値４８〜１９２ｋＨｚ、音声Ｃｈ数２〜６ｃｈ（図４の１２）をサポート可能である。映像解像度が１０８０ｐのとき、シンク機器部１０３は、色深度の範囲を８ｂｉｔ、音声Ｆｓ値４８〜１９２ｋＨｚ、音声Ｃｈ数２〜６ｃｈ（図４の１１）をサポート可能である。また、シンク機器部１０３は、音声Ｆｓ値１９２ｋＨｚと音声Ｃｈ数８ｃｈを同時に選択できない（サポートできない）制限があることも前提とする。つまり、シンク機器部１０３がサポート可能なレベルとして選択可能な複数のレベルには、同時にサポートできない２以上のレベルが含まれている。
【００４０】
シンク機器部１０３では、ＥＤＩＤメモリ部１０５に書かれているＥＤＩＤの初期値として、次の映像・音声フォーマットを保持している。解像度４８０ｐ〜１０８０ｐ、色深度８ｂｉｔ、音声Ｆｓ値４８〜１９２ｋＨｚ、音声Ｃｈ数２ｃｈ〜６ｃｈ（図４の１１）。
【００４１】
また、ソース機器部１０１が送出しようとしているコンテンツの映像・音声フォーマットは、次のフォーマットであることを前提に説明する。解像度７２０ｐ、色深度１０ｂｉｔ、音声Ｆｓ値４８ｋＨｚ、音声Ｃｈ数８ｃｈ。
【００４２】
最初に、ユーザは、ソース機器部１０１とシンク機器部１０３とをＨＤＭＩケーブル１０２で接続するか、あるいは、ソース機器部１０１とシンク機器部１０３とを接続された状態からソースの電源をＯＮにする。これにより、ソース機器部１０１とシンク機器部１０３とが電気的に接続状態になると、ソース機器部１０１は、ＨＤＭＩ接続されたことを検知して、ＨＤＭＩケーブル１０２を通してＥＤＩＤメモリ部１０５に書かれているＥＤＩＤを読み出す（図２のステップＳ２）。
【００４３】
ソース機器部１０１は、読み出したＥＤＩＤに書かれている情報に基づいて映像・音声フォーマットを決定し、シンク機器部１０３に対して映像・音声信号を送出する。ソース機器部１０１におけるフォーマットの決定方法の一例としては、コンテンツのフォーマットが選択可能な場合にはコンテンツのフォーマットを選択し、コンテンツのフォーマットを満たせない場合にはＥＤＩＤで提示された能力の中で最大のフォーマットを選択するのが一般的である。
【００４４】
本実施の形態においては、ソース機器部１０１では、解像度７２０ｐ、色深度８ｂｉｔ、音声Ｆｓ値４８ｋＨｚ、音声Ｃｈ数６ｃｈのフォーマット（図４の１２、１３、１４）で映像・音声信号を送出する（図２のステップＳ３）。
【００４５】
映像・音声フォーマット解析部１０８は、ソース機器部１０１が送出する映像・音声信号のフォーマットを解析してパラメータ化し、ＥＤＩＤ生成部１０７へ通知する。ＥＤＩＤ生成部１０７は、パラメータ化された映像・音声フォーマットを解像度、色深度、音声Ｃｈ数、音声Ｆｓ値の順に判定を行う（図２のステップＳ１１２、Ｓ１１３）。
【００４６】
ＥＤＩＤ生成部１０７は、最初に色深度を判定する。ＥＤＩＤ生成部１０７は、現在の解像度７２０ｐの場合に色深度が取りうる値の範囲（８〜１０ｂｉｔ）のうち、現在の色深度８ｂｉｔから１０ｂｉｔへ引き上げることが可能と判断して、解像度４８０ｐ〜７２０ｐ、色深度８〜１０ｂｉｔ、音声Ｆｓ値４８〜１９２ｋＨｚ、音声Ｃｈ数２〜６ｃｈのＥＤＩＤ（図４の１５）を生成し変更処理を行う（ステップＳ１１５）。
【００４７】
このとき、図４においては、受信した解像度のレベルは、上限レベル（１０８０ｐ）未満のレベル（７２０ｐ）である。そのため、ＥＤＩＤ生成部１０７は、現在の解像度（７２０ｐ）を解像度の最上位レベルに設定する。言い換えると、ＥＤＩＤ生成部１０７は、受信した複数のパラメータのレベルの中に、シンク機器部１０３がサポート可能なレベルのうちの上限未満のレベルのパラメータ（解像度）がある場合、当該上限未満のレベルのパラメータ（解像度）におけるサポート可能なレベルの上限を引き下げる。つまり、ＥＤＩＤ生成部１０７は、解像度におけるサポート可能なレベルの上限を１０８０ｐから７２０ｐへ引き下げると共に、解像度とは異なるパラメータ（色深度）におけるサポート可能なレベルの上限を８ｂｉｔから１０ｂｉｔへ引き上げる。
【００４８】
ＥＤＩＤ書き換え部１０４はＥＤＩＤ生成部１０７で生成したＥＤＩＤ（図４の１５）とＥＤＩＤメモリ部１０５に書いてある初期ＥＤＩＤ（図４の１１）を比べて一致していないと判断し、ＥＤＩＤ書き換え部１０４はＥＤＩＤメモリ部１０５へ新しいＥＤＩＤデータを書き込む。
【００４９】
その後、ＨＤＭＩリンク部１０６は、ＨＤＭＩ接続ラインのうちＨＰＤ信号をトグルすることによってＨＤＭＩ接続の瞬断を行う。このことにより、ソース機器部１０１に対して、ＥＤＩＤメモリ部１０５に書かれているＥＤＩＤの再読出しを促す（図２のステップＳ１１６）。
【００５０】
ソース機器部１０１は、ＥＤＩＤを再読出ししたことによって新たな映像・音声フォーマットを決定するが、再読出ししたＥＤＩＤの色深度の上限が１０ｂｉｔとなっていることから、色深度１０ｂｉｔの選択が可能となる。
【００５１】
ＥＤＩＤの変更によりソース機器部１０１では、解像度７２０ｐ、色深度１０ｂｉｔ、音声Ｆｓ値４８ｋＨｚ、音声Ｃｈ数６ｃｈのフォーマット（図４の１６、１７、１８）で映像・音声信号を送出する（図２のステップＳ５）。
【００５２】
次に、ＥＤＩＤ生成部１０７は、音声Ｆｓ値を判定する。ＥＤＩＤ生成部１０７は、現在の解像度７２０ｐ、色深度１０ｂｉｔの場合に音声Ｆｓ値が取りうる値の範囲（４８〜１９２ｋＨｚ）から、現在ソース機器部１０１が選択している音声Ｆｓ値を４８ｋＨｚから引き上げないとする。現在のＥＤＩＤ（図４の１５）は４８〜１９２ｋＨｚの入力が可能と示しているが、ソース機器部１０１は音声Ｆｓ値として最大の１９２ｋＨｚではなく４８ｋＨｚを選択しているためである（図２のステップＳ１１７）。
【００５３】
次に、ＥＤＩＤ生成部１０７は、音声Ｃｈ数を判定する。ＥＤＩＤ生成部１０７は、現在の解像度７２０ｐ、色深度１０ｂｉｔ、音声Ｆｓ値４８ｋＨｚのときの音声Ｃｈ数が取りうる値の範囲（２〜６ｃｈ）のうち、現在の音声Ｃｈ数は６ｃｈから引き上げることが出来ない。
【００５４】
しかし、音声Ｆｓ１９２ｋＨｚと音声Ｃｈ数８ｃｈが同時に選択できない（サポートできない）制限を考慮すると、ＥＤＩＤ生成部１０７は、現在の音声Ｆｓ値４８ｋＨｚであるので音声Ｃｈ数８ｃｈに引き上げることが可能であると判断して、解像度４８０ｐ〜７２０ｐ、色深度８〜１０ｂｉｔ、音声Ｆｓ値４８〜９６ｋＨｚ、音声Ｃｈ数２〜８ｃｈのＥＤＩＤ（図４の１９）を生成し変更処理を行う（図２のステップＳ１２１）。
【００５５】
つまり、ＥＤＩＤ生成部１０７は、受信した複数のパラメータのレベルの中に、サポート可能なレベルのうちの上限未満のレベル（４８ｋＨｚ）があるため、当該上限未満のレベルのパラメータ（音声Ｆｓ値）におけるサポート可能なレベルの上限を１９２ｋＨｚから９６ｋＨｚへ引き下げる。それと共に、ＥＤＩＤ生成部１０７は、音声Ｆｓ値とは異なるパラメータ（音声Ｃｈ数）におけるサポート可能なレベルの上限を６Ｃｈから８Ｃｈへ引き上げる。
【００５６】
ＥＤＩＤ書き換え部１０４は、ＥＤＩＤ生成部１０７で生成したＥＤＩＤ（図４の１９）とＥＤＩＤメモリ部１０５に書いてある初期ＥＤＩＤ（図４の１５）を比べて、一致していないと判断し、ＥＤＩＤ書き換え部１０４はＥＤＩＤメモリ部１０５へ新しいＥＤＩＤデータを書き込む。
【００５７】
その後、ＨＤＭＩリンク部１０６は、ＨＤＭＩ接続ラインのうちＨＰＤ信号をトグルすることによってＨＤＭＩ接続の瞬断を行う。このことにより、ソース機器部１０１に対して、ＥＤＩＤメモリ部１０５に書かれているＥＤＩＤの再読出しを促す（図２のステップＳ１２２）。
【００５８】
最終的に、ＥＤＩＤの変更によりソース機器部１０１では、解像度７２０ｐ、色深度１０ｂｉｔ、音声Ｆｓ値４８ｋＨｚ、音声Ｃｈ数８ｃｈのフォーマット（図４の２０，２１，２２）で映像・音声信号を送出する。
【００５９】
以上の処理により、ソース機器部１０１からシンク機器へ出力する映像・音声フォーマットは最初に決定された映像・音声フォーマットに対して色深度が８ｂｉｔから１０ｂｉｔへ、音声Ｃｈ数が６ｃｈから８ｃｈのものへと改善している。
【００６０】
以上のように、本実施の形態にかかるシンク機器部１０３においては、ＥＤＩＤ生成部１０７が、サポート可能なレベルの上限未満のレベルのパラメータについては、サポート可能なレベルの上限を引き下げる。それと共に、ＥＤＩＤ生成部１０７は、サポート可能なレベルの上限のレベルのパラメータについては、サポート可能なレベルの上限を引き上げる。これにより、不必要に高いレベルに設定されているパラメータにおいて、サポート可能なレベルの上限を引き下げることができ、より高いレベルの設定が必要とされている他のパラメータにおいて、サポート可能なレベルの上限を引き上げることができる。その結果、シンク機器部１０３がサポート可能なレベルの上限が、ソース機器部１０１の出力可能な映像音声信号のフォーマットに含まれるパラメータレベルに合わせて調整される。つまり、シンク機器から表示属性情報を得ることができない場合でも、ＥＤＩＤの内容を適切に書き換えることができる。したがって、シンク機器の備える性能を最大限発揮できるようにすることができる。
【００６１】
また、本実施の形態にかかるシンク機器部１０３のＥＤＩＤ設定処理においては、表示属性情報と最適なＥＤＩＤとが対応付けられた参照テーブルを必要としない。その結果、メモリコストの低減を図ることができる。
【００６２】
なお、本発明は上記実施の形態に限られたものではなく、趣旨を逸脱しない範囲で適宜変更及び組み合わせをすることが可能である。例えば、上記の実施の形態においては、映像と音声の両方のパラメータが含まれるフォーマットを用いて説明したが、これに限られるものではない。例えば、映像に関連するパラメータのみ、または、音声に関連するパラメータのみを含むフォーマットにも本発明を適用することができる。また、上記の実施の形態においては、サポート可能なレベルの上限設定を色深度、音声Ｆｓ値、音声Ｃｈ数の順に処理したが、設定順序はこれに限られるものではない。
【符号の説明】
【００６３】
１０１  ソース機器部
１０２  ＨＤＭＩケーブル
１０３  シンク機器部
１０４  ＥＤＩＤ書き換え部
１０５  ＥＤＩＤメモリ部
１０６  ＨＤＭＩリンク部
１０７  ＥＤＩＤ生成部
１０８  映像音声フォーマット解析部
１０９  表示パネル＆スピーカ部
１１０  映像・音声装置
【図１】
2013098903.tif 000003
【図２】
2013098903.tif 000004
【図３】
2013098903.tif 000005
【図４】
2013098903.tif 000006